(57)【要約】揮発性シロキサン及びアミノ官能性シロキサン並びに任意成分として水又は酸を含むドライクリーニング組成物。揮発性シロキサン及びアミノ官能性シロキサンを含む組成物に物品を接触させることを含むドライクリーニング法。【特許請求の範囲】
【請求項１】
揮発性環式、線状若しくは枝分れシロキサン又はこれらの組合せ及び１種類以上のアミノ官能性シロキサンを含んでなるドライクリーニング組成物。
【請求項２】
約９０〜約９９．９９９重量部の揮発性シロキサン及び約０．００１〜１０重量部未満の１種類以上のアミノ官能性シロキサンを含む、請求項１記載の組成物。
【請求項３】
さらに約０．０１〜約１５重量部の水を含む、請求項２記載の組成物。
【請求項４】
前記アミノ官能性シロキサンが次式の構造単位を含む、請求項１記載の組成物。
Ｒ20fＳｉＯ4-f
式中、１以上のＲ20は−（ＣＨＲ24）nＮＲ25Ｒ26であり、Ｒ24はＨ又はアルキル、好ましくは（Ｃ1〜Ｃ8）アルキルであり、Ｒ25はＨ又はアルキルであり、Ｒ26はＨ、アルキル、又は−（ＣＨＲ27）mＮＲ28Ｒ29であり、Ｒ27はＨ又はアルキルであり、Ｒ28及びＲ29は各々独立にＨ又はアルキルであり、ｎは２〜１６であり、ｍは２〜１６であり、１≦ｆ≦３である。
【請求項５】
前記アミノ官能性シリコーンが、次の構造式を有するブロック又はランダムポリマー及びコポリマー並びに末端置換アミノ官能性シロキサンポリマーから選択される１種類以上のシロキサンを含む、請求項４記載の組成物。
Ｍ*ＤxＤ′yＴwＴ′zＭ*            （Ｉ）
式中、
Ｍ*はＲ21Ｒ22Ｒ23ＳｉＯ1/2であり、Ｒ21、Ｒ22及びＲ23は各々独立にアルキル、アリール、置換アルキル若しくはアリール、アルコキシ、−（ＣＨ2）a（ＣＨ2ＣＨ2Ｏ）b（ＣＨ2ＣＨ（ＣＨ3）Ｏ）cＲ15（ただし、Ｒ15はＨ又はアルキルであり、ａは２〜８であり、ｂ及びｃは各々０〜２０である）、又は既に定義したＲ20であり、
ＤはＲ142ＳｉＯ2/2であり、Ｒ14は各々アルキル又は−（ＣＨ2）a（ＣＨ2ＣＨ2Ｏ）b（ＣＨ2ＣＨ（ＣＨ3）Ｏ）cＲ15であり、Ｒ15はＨ又はアルキルであり、ａは２〜８であり、ｂ及びｃは各々０〜２０であり、
Ｄ′はＲ10Ｒ11ＳｉＯ2/2であり、Ｒ10はアルキル、アリール又は−（ＣＨ2）a（ＣＨ2ＣＨ2Ｏ）b（ＣＨ2ＣＨ（ＣＨ3）Ｏ）cＲ15であり、Ｒ15はＨ又はアルキルであり、ａは２〜８であり、ｂ及びｃは各々０〜２０であり、Ｒ11は既に定義したＲ20、又はポリエーテル、アルキル、アリール若しくはその他の官能性側基であり、
ＴはＲ12ＳｉＯ3/2であり、Ｒ12はアルキル若しくはアリール、又は−（ＣＨ2）a（ＣＨ2ＣＨ2Ｏ）b（ＣＨ2ＣＨ（ＣＨ3）Ｏ）cＲ15であり、Ｒ15はＨ又はアルキルであり、
Ｔ′はＲ13ＳｉＯ3/2であり、Ｒ13はアルキル、アリール又は−（ＣＨ2）a（ＣＨ2ＣＨ2Ｏ）b（ＣＨ2ＣＨ（ＣＨ3）Ｏ）cＲ15であり、Ｒ15はＨ又はアルキルであり、ａは２〜８であり、ｂ及びｃは各々０〜２０であり、Ｒ11は既に定義したＲ20又はポリエーテル、アルキル、アリール若しくはその他の官能性側基であり、
ｗ、ｘ、ｙ及びｚは整数であって、０≦ｗ≦４０、０≦ｘ≦５００、０≦ｙ≦５０、０≦ｚ≦４０である。
【請求項６】
Ｒ21、Ｒ22、Ｒ23及びＲ10が各々（Ｃ1〜Ｃ8）アルキルであり、Ｒ11が（ＣＨ2）nＮＨ（ＣＨ2）mＮＨ2であり、ｗ及びｚが０である、請求項５記載の組成物。
【請求項７】
Ｒ21、Ｒ22、Ｒ23、Ｒ10及びＲ12が各々（Ｃ1〜Ｃ8）アルキルであり、Ｒ11が（ＣＨ2）nＮＨ（ＣＨ2）mＮＨ2であり、Ｒ13がポリエーテルであり、ｗが０である、請求項５記載の組成物。
【請求項８】
Ｒ21、Ｒ22、Ｒ23、Ｒ10及びＲ15が各々（Ｃ1〜Ｃ8）アルキルであり、Ｒ11が（ＣＨ2）nＮＨ（ＣＨ2）mＮＨ2であり、ｗ＞０である、請求項５記載の組成物。
【請求項９】
Ｒ21、Ｒ22、Ｒ10及びＲ14が各々（Ｃ1〜Ｃ8）アルキルであり、Ｒ23が（ＣＨ2）ＮＨ2であり、ｗ、ｙ及びｚが０であり、ｘが２〜１００である、請求項５記載の組成物。
【請求項１０】
ｘが２〜１０、好ましくは２又は１０である、請求項９記載の組成物。
【請求項１１】
ｘが２又は１０である、請求項１０記載の組成物。
【請求項１２】
前記線状又は枝分れ揮発性シロキサンが次の構造式を有する１種類以上の化合物を含む、請求項１記載の組成物。
Ｍ2+y+2zＤxＴyＱz
式中、
ＭはＲ13ＳｉＯ1/2であり、
ＤはＲ2Ｒ3ＳｉＯ2/2であり、
ＴはＲ4ＳｉＯ3/2であり、
ＱはＳｉＯ4/2であり、
Ｒ1、Ｒ2、Ｒ3及びＲ4は各々独立に一価炭化水素基であり、
ｘ及びｙは各々整数であって、０≦ｘ≦１０、０≦ｙ≦１０、０≦ｚ≦１０である。
【請求項１３】
前記環式シロキサン成分が次の構造式を有する１種類以上の化合物を含む、請求項１記載の組成物。
【化１】
2004525198.tif 000008
式中、
Ｒ5、Ｒ6、Ｒ7及びＲ8は各々独立に一価炭化水素基であり、
ａ及びｂは各々整数であって、０≦ａ≦１０、０≦ｂ≦１０であるが、３≦（ａ＋ｂ）≦１０である。
【請求項１４】
環式、線状又は枝分れシロキサン及び１種類以上のアミノ官能性シロキサンを含む組成物に物品を接触させることを含んでなる、物品のドライクリーニング方法。
【請求項１５】
前記アミノ官能性シロキサンが次式の構造単位を含む、請求項１４記載の方法。
Ｒ20fＳｉＯ4-f
式中、１以上のＲ20は−（ＣＨＲ24）nＮＲ25Ｒ26であり、Ｒ24はＨ又はアルキル、好ましくは（Ｃ1〜Ｃ8）アルキルであり、Ｒ25はＨ又はアルキルであり、Ｒ26はＨ、アルキル、又は−（ＣＨＲ27）mＮＲ28Ｒ29であり、Ｒ27はＨ又はアルキルであり、Ｒ28及びＲ29は各々独立にＨ又はアルキルであり、ｎは２〜１６であり、ｍは２〜１６であり、１≦ｆ≦３である。
【請求項１６】
前記アミノ官能性シリコーンが、次の構造式を有するブロック又はランダムポリマー及びコポリマー並びに末端置換アミノ官能性シロキサンポリマーから選択される１種類以上のシロキサンを含む、請求項１５記載の方法。
Ｍ*ＤxＤ′yＴwＴ′zＭ*        （Ｉ）
式中、
Ｍ*はＲ21Ｒ22Ｒ23ＳｉＯ1/2であり、Ｒ21、Ｒ22及びＲ23は各々独立にアルキル、アリール、置換アルキル若しくはアリール、アルコキシ、−（ＣＨ2）a（ＣＨ2ＣＨ2Ｏ）b（ＣＨ2ＣＨ（ＣＨ3）Ｏ）cＲ15（ただし、Ｒ15はＨ又はアルキルであり、ａは２〜８であり、ｂ及びｃは各々０〜２０である）、又は既に定義したＲ20であり、
ＤはＲ142ＳｉＯ2/2であり、Ｒ14は各々アルキル又は−（ＣＨ2）a（ＣＨ2ＣＨ2Ｏ）b（ＣＨ2ＣＨ（ＣＨ3）Ｏ）cＲ15であり、Ｒ15はＨ又はアルキルであり、ａは２〜８であり、ｂ及びｃは各々０〜２０であり、
Ｄ′はＲ10Ｒ11ＳｉＯ2/2であり、Ｒ10はアルキル、アリール、又は−（ＣＨ2）a（ＣＨ2ＣＨ2Ｏ）b（ＣＨ2ＣＨ（ＣＨ3）Ｏ）cＲ15であり、Ｒ15はＨ又はアルキルであり、ａは２〜８であり、ｂ及びｃは各々０〜２０であり、Ｒ11は既に定義したＲ20、又はポリエーテル、アルキル、アリール若しくはその他の官能性側基であり、
ＴはＲ12ＳｉＯ3/2であり、Ｒ12はアルキル若しくはアリール又は−（ＣＨ2）a（ＣＨ2ＣＨ2Ｏ）b（ＣＨ2ＣＨ（ＣＨ3）Ｏ）cＲ15であり、Ｒ15はＨ又はアルキルであり、
Ｔ′はＲ13ＳｉＯ3/2であり、Ｒ13はアルキル、アリール、又は−（ＣＨ2）a（ＣＨ2ＣＨ2Ｏ）b（ＣＨ2ＣＨ（ＣＨ3）Ｏ）cＲ15であり、Ｒ15はＨ又はアルキルであり、ａは２〜８であり、ｂ及びｃは０〜２０であり、Ｒ11は既に定義したＲ20、又はポリエーテル、アルキル、アリール若しくはその他の官能性側基であり、
ｗ、ｘ、ｙ及びｚは整数であって、０≦ｗ≦４０、０≦ｘ≦５００、０≦ｙ≦５０、０≦ｚ≦４０である。
【請求項１７】
Ｒ21、Ｒ22、Ｒ23及びＲ10が各々（Ｃ1〜Ｃ8）アルキルであり、Ｒ11が（ＣＨ2）nＮＨ（ＣＨ2）mＮＨ2であり、ｗ及びｚが０である、請求項１６記載の方法。
【請求項１８】
Ｒ21、Ｒ22、Ｒ23、Ｒ10及びＲ12が（Ｃ1〜Ｃ8）アルキルであり、Ｒ11が（ＣＨ2）nＮＨ（ＣＨ2）mＮＨ2であり、Ｒ13がポリエーテルであり、ｗが０である、請求項１６記載の方法。
【請求項１９】
Ｒ21、Ｒ22、Ｒ23、Ｒ10及びＲ15が（Ｃ1〜Ｃ8）アルキルであり、Ｒ11は（ＣＨ2）nＮＨ（ＣＨ2）mＮＨ2であり、ｗ＞０である、請求項１６記載の方法。
【請求項２０】
Ｒ21、Ｒ22、Ｒ10及びＲ14が（Ｃ1〜Ｃ8）アルキルであり、Ｒ23が（ＣＨ2）ＮＨ2であり、ｗ、ｙ及びｚが０であり、ｘが２〜１００である、請求項１６記載の方法。
【発明の詳細な説明】
【技術分野】
【０００１】
本発明は、ドライクリーニング組成物に関し、さらに具体的には、ドライクリーニングに用いられるシロキサン流体系組成物並びに当該組成物を使用するドライクリーニング方法に関する。
【背景技術】
【０００２】
現在のドライクリーニング技術では、クリーニング溶剤としてパークロロエチレン（「ＰＥＲＣ」）又は石油系物質が使用されている。ＰＥＲＣには毒性及び臭気の問題がある。石油系製品はＰＥＲＣほど衣料品のクリーニングに有効ではない。
【０００３】
環式シロキサンは、スポットクリーニング用溶液として（米国特許第４６８５９３０号参照）、またドライクリーニング機でのドライクリーニング用流体としても（米国特許第５９４２００７号参照）報告されている。他の特許には、石油系溶剤にシリコーン系ソープを使用することが開示されており（特開平９−２９９６８７号公報参照）、超臨界二酸化炭素溶液中にシリコーン界面活性剤を使用することも報告されている（例えば、米国特許第５６７６７０５号及びＣｈｅｍ．  Ｍａｒｋ．  Ｒｅｐ．，１５  Ｄｅｃ  １９９７，２５２（２４），ｐ．１５参照）。不揮発性シリコーンオイルも洗浄用溶剤として使用されているが、該シリコーンオイルを除去するためパーフルオロアルカンでの第二の洗浄による除去を要する（特開平６−３２７８８８号公報参照）。
【０００４】
ＰＥＲＣ又は石油系ドライクリーニング溶剤に追加成分としてシロキサン又は有機変性シリコーンを存在させた数多くの他の特許が刊行されている。例えば、国際公開第９４／０１５１０号、米国特許第４９１１８５３号、米国特許第４００５２３１号、米国特許第４０６５２５８号参照。
【特許文献１】
米国特許第４６８５９３０号
【特許文献２】
米国特許第５９４２００７号
【特許文献３】
特開平０９−２９９６８７号公報
【特許文献４】
米国特許第５６７６７０５号
【特許文献５】
特開平０６−３２７８８８号公報
【特許文献６】
国際公開第９４／０１５１０号
【特許文献７】
米国特許第４９１１８５３号
【特許文献８】
米国特許第４００５２３１号
【特許文献９】
米国特許第４０６５２５８号
【非特許文献１】
Ｃｈｅｍ．  Ｍａｒｋ．  Ｒｅｐ．，  １５  Ｄｅｃ  １９９７，  ２５２（２４），  ｐ．  １５
【発明の開示】
【発明が解決しようとする課題】
【０００５】
シリコーン系ドライクリーニング溶剤の洗浄能力を高める添加剤を提供することに絶えず関心がもたれている。
【課題を解決するための手段】
【０００６】
第一の態様では、本発明は、揮発性シロキサンと１種類以上のアミノ官能性シロキサンを含むドライクリーニング組成物に関する。
【０００７】
第二の態様では、本発明は、揮発性シロキサンとアミノ官能性シロキサンを含む組成物と物品を接触させることを含むドライクリーニング方法に関する。
【発明の効果】
【０００８】
本発明の方法は、例えば衣料品のような被洗物からの水溶性汚れの除去などに改善された性能を示す。また、本発明の方法は、油汚れやグリース汚れを始めとする可溶性汚れの除去にも改善された性能を示す。
【発明を実施するための最良の形態】
【０００９】
好ましい実施形態では、本発明の組成物は、組成物１００重量部（「ｐｂｗ」）を基準にして、９０〜９９．９９９ｐｂｗ、さらに好ましくは９２〜９９．９ｐｂｗ、さらに一段と好ましくは９５〜９９．５ｐｂｗの揮発性シロキサンと、０．００１〜１０ｐｂｗ未満、さらに好ましくは０．０１〜８ｐｂｗ、さらに一段と好ましくは０．１〜５ｐｂｗのアミノ官能性シロキサンとを含む。揮発性シロキサンは線状、枝分れ、環式又はこれらの組合せでよい。当該組成物は任意成分として水を含み、好ましくは０．０１〜１５ｐｂｗ、さらに好ましくは０．１〜１２ｐｂｗ未満、さらに一段と好ましくは０．２〜１０ｐｂｗの水を含む。好ましくは、当該組成物はシロキサン樹脂も架橋剤も含まない。当該組成物は、任意成分としてさらにアミノ官能性シリコーンのアミノ官能基をプロトン化するのに十分な量の酸を含む。
【００１０】
好ましい実施形態では、水は「自由」水として加えてもよいし、或いはシロキサン、炭化水素、界面活性剤その他適当な添加剤のような別の成分を含むエマルジョンとして加えてもよい。水をエマルジョンとして加える場合、エマルジョンは成分の均質化又は混合物の機械的攪拌によって調製し得る。
【００１１】
本発明の線状又は枝分れ揮発性シロキサン溶剤として適した化合物は、ケイ素原子数２〜２０のポリシロキサン構造を有するものである。線状又は枝分れ揮発性シロキサンは好ましくは比較的揮発性の物質で、例えば圧力７６０ｍｍＨｇで約３００℃未満の沸点を有する。
【００１２】
好ましい実施形態では、線状又は枝分れ揮発性シロキサンは次の構造式（Ｉ）の化合物１種類以上を含む。
【００１３】
Ｍ2+y+2zＤxＴyＱz      （Ｉ）
式中、
ＭはＲ13ＳｉＯ1/2であり、
ＤはＲ2Ｒ3ＳｉＯ2/2であり、
ＴはＲ4ＳｉＯ3/2であり、
ＱはＳｉＯ4/2であり、
Ｒ1、Ｒ2、Ｒ3及びＲ4は各々独立に一価炭化水素基であり、
ｘ及びｙは各々整数であって、０≦ｘ≦１０、０≦ｙ≦１０、０≦ｚ≦１０である。
【００１４】
適当な一価炭化水素基には、非環式炭化水素基、一価脂環式炭化水素基、一価芳香族又は含フルオロ炭化水素基がある。好ましい一価炭化水素基は一価アルキル基、一価アリール基及び一価アラルキル基である。
【００１５】
本明細書中で用いる「（Ｃ1〜Ｃ6）アルキル」という用語は、１基当たりの炭素数が１〜６の線状又は枝分れアルキル基を意味し、例えばメチル、エチル、プロピル、イソ−プロピル、ｎ−ブチル、イソ−ブチル、ｓｅｃ−ブチル、ｔｅｒｔ−ブチル、ペンチル、ヘキシルなどがあるが、好ましくはメチルである。
【００１６】
本明細書中で用いる「アリール」という用語は、１基当たり１以上の芳香族又は含フルオロ環を有する一価不飽和炭化水素環系を意味し、任意には１以上の芳香族又は含フルオロ環が好ましくは１以上の（Ｃ1〜Ｃ6）アルキル基で置換されていてもよく、２以上の環の場合は縮合環であってもよく、例えば、フェニル、２，４，６−トリメチルフェニル、２−イソプロピルメチルフェニル、１−ペンタレニル、ナフチル、アントリルなどがあるが、好ましくはフェニルである。
【００１７】
本明細書中で用いる「アラルキル」という用語は、アルキル基（好ましくは（Ｃ2〜Ｃ6）アルキル基）のアリール誘導体を意味し、アリール誘導体のアルキル部分は任意には酸素原子で中断されていてもよく、例えば、フェニルエチル、フェニルプロピル、２−（１−ナフチル）エチルなどであるが、好ましくはフェニルプロピル、フェノキシプロピル、ビフェニルオキシプロピルである。
【００１８】
好ましい実施形態では、一価炭化水素基は一価（Ｃ1〜Ｃ6）アルキル基、最も好ましくはメチルである。
【００１９】
好ましい実施形態では、線状又は枝分れ揮発性シロキサンは、ヘキサメチルジシロキサン、オクタメチルトリシロキサン、デカメチルテトラシロキサン、ドデカメチルペンタシロキサン、テトラデカメチルヘキサシロキサン、ヘキサデカメチルヘプタシロキサン又はメチルトリス（トリメチルシロキシ）シランの１種類以上を含む。さらに好ましい実施形態では、本発明の線状又は枝分れ揮発性シロキサンは、オクタメチルトリシロキサン、デカメチルテトラシロキサン、ドデカメチルペンタシロキサン又はメチルトリス（トリメチルシロキシ）シランを含む。非常に好ましい実施形態では、本発明の組成物のシロキサン成分は実質的にデカメチルテトラシロキサンからなる。
【００２０】
適当な線状又は枝分れ揮発性シロキサンは、例えばテトラクロロシラン、メチルトリクロロシラン、ジメチルジクロロシラン、トリメチルクロロシランの１種類以上の加水分解・縮合反応、又はヘキサメチルジシロキサンとオクタメチルシクロテトラシロキサンの平衡化混合物の所望画分の単離のような公知の方法で製造され、市販されている。
【００２１】
本発明の環式シロキサン成分として適した化合物は、環内に２〜２０個のケイ素原子を含むポリシロキサン環構造を有するものである。線状揮発性シロキサン及び環式シロキサンは好ましくは比較的揮発性の物質で、例えば圧力７６０ｍｍＨｇで約３００℃未満の沸点を有するものである。
【００２２】
好ましい実施形態では、環式シロキサン成分は次の構造式（II）の化合物１種類以上を含む。
【００２３】
【化１】
2004525198.tif 000002
【００２４】
式中、
Ｒ5、Ｒ6、Ｒ7及びＲ8は各々独立に一価炭化水素基であり、
ａ及びｂは各々整数であって、０≦ａ≦１０、０≦ｂ≦１０であるが、３≦（ａ＋ｂ）≦１０であることを条件とする。
【００２５】
好ましい実施形態では、環式シロキサンはオクタメチルシクロテトラシロキサン、デカメチルシクロペンタシロキサン、ドデカメチルシクロヘキサシロキサン、テトラデカメチルシクロヘプタシロキサンの１種類以上を含む。さらに好ましい実施形態では、本発明の環式シロキサンはオクタメチルシクロテトラシロキサン又はデカメチルシクロペンタシロキサンを含む。非常に好ましい実施形態では、本発明の組成物の環式シロキサン成分は実質的にデカメチルシクロペンタシロキサンからなる。
【００２６】
適当な環式シロキサンは、例えばジメチルジクロロシランの加水分解・縮合反応のような公知の方法で製造され、市販されている。
【００２７】
アミノ官能性シリコーンは次式の構造単位を含む。
【００２８】
Ｒ20fＳｉＯ4-f
式中、１以上のＲ20は−（ＣＨＲ24）nＮＲ25Ｒ26であり、Ｒ24はＨ又はアルキル、好ましくは（Ｃ1〜Ｃ8）アルキルであり、Ｒ25はＨ又はアルキル、好ましくは（Ｃ1〜Ｃ4）アルキルであり、Ｒ26はＨ、アルキル、好ましくは（Ｃ1〜Ｃ8）アルキル、又は−（ＣＨＲ27）mＮＲ28Ｒ29であり、Ｒ27はＨ又はアルキル、好ましくは（Ｃ1〜Ｃ8）アルキルであり、Ｒ28及びＲ29は各々独立にＨ又はアルキル、好ましくは（Ｃ1〜Ｃ4）アルキルであり、ｎは２〜１６であり、ｍは２〜１６であり、１≦ｆ≦３である。
【００２９】
好ましい実施形態では、本発明のアミノ官能性シリコーンは次の構造式を有するブロック又はランダムポリマー及びコポリマー並びに末端置換アミノ官能性シロキサンポリマーから選択される１種類以上のシロキサンを含む。
【００３０】
Ｍ*ＤxＤ′yＴwＴ′zＭ*        （Ｉ）
式中、Ｍ*はＲ21Ｒ22Ｒ23ＳｉＯ1/2であり、Ｒ21、Ｒ22及びＲ23は各々独立にアルキル、好ましくは（Ｃ1〜Ｃ8）アルキル、アリール、置換アルキル若しくはアリール、アルコキシ、好ましくは（Ｃ1〜Ｃ8）アルコキシ、−（ＣＨ2）a（ＣＨ2ＣＨ2Ｏ）b（ＣＨ2ＣＨ（ＣＨ3）Ｏ）cＲ15（ただし、Ｒ15はＨ又はアルキル、好ましくは（Ｃ1〜Ｃ8）アルキルであり、ａは２〜８であり、ｂ及びｃは各々０〜２０である）、又は既に定義したＲ20であり、
ＤはＲ142ＳｉＯ2/2であり、各Ｒ14はアルキル、好ましくは（Ｃ1〜Ｃ8）アルキル、又は−（ＣＨ2）a（ＣＨ2ＣＨ2Ｏ）b（ＣＨ2ＣＨ（ＣＨ3）Ｏ）cＲ15であり、Ｒ15はＨ又はアルキル、好ましくは（Ｃ1〜Ｃ8）アルキルであり、ａは２〜８であり、ｂ及びｃは各々０〜２０であり、
Ｄ′はＲ10Ｒ11ＳｉＯ2/2であり、Ｒ10はアルキル、好ましくは（Ｃ1〜Ｃ8）アルキル、アリール、又は−（ＣＨ2）a（ＣＨ2ＣＨ2Ｏ）b（ＣＨ2ＣＨ（ＣＨ3）Ｏ）cＲ15であり、Ｒ15はＨ又はアルキル、好ましくは（Ｃ1〜Ｃ8）アルキルであり、ａは２〜８であり、ｂ及びｃは各々０〜２０であり、Ｒ11は既に定義したＲ20、又はポリエーテル、アルキル、アリール若しくはその他の官能性側基であり、
ＴはＲ12ＳｉＯ3/2であり、Ｒ12はアルキル又はアリール、好ましくは（Ｃ1〜Ｃ8）アルキル、又は−（ＣＨ2）a（ＣＨ2ＣＨ2Ｏ）b（ＣＨ2ＣＨ（ＣＨ3）Ｏ）cＲ15であり、Ｒ15はＨ又はアルキル、好ましくは（Ｃ1〜Ｃ8）アルキルであり、
Ｔ′はＲ13ＳｉＯ3/2であり、Ｒ13はアルキル、好ましくは（Ｃ1〜Ｃ8）アルキル、アリール、又は−（ＣＨ2）a（ＣＨ2ＣＨ2Ｏ）b（ＣＨ2ＣＨ（ＣＨ3）Ｏ）cＲ15であり、Ｒ15はＨ又はアルキル、好ましくは（Ｃ1〜Ｃ8）アルキルであり、ａは２〜８であり、ｂ及びｃは各々０〜２０であり、Ｒ11は既に定義したＲ20、又はポリエーテル、アルキル、アリール若しくはその他の官能性側基であり、
ｗ、ｘ、ｙ及びｚは整数であって、０≦ｗ≦４０、０≦ｘ≦５００、０≦ｙ≦５０、０≦ｚ≦４０である。
【００３１】
本発明のアミノ官能性シリコーンとして適した化合物には、特に限定されないが、アミノエチルアミノプロピル線状グラフトコポリマー、アミノエチルアミノプロピル枝分れグラフトコポリマー、アミノエチルアミノプロピル末端線状ポリマー、アミノエチルアミノイソブチル枝分れグラフトコポリマー、アミノエチルアミノイソブチル線状グラフトコポリマー、アミノエチルアミノイソブチル末端線状ポリマー、アミノプロピルグラフト線状コポリマー、アミノプロピル末端置換線状ポリマー、エチレンオキシド−プロピレンオキシド側鎖を有するアミノエチルアミノプロピル線状グラフトターポリマーなどがある。
【００３２】
好ましい実施形態では、本発明のアミノ官能性シリコーンはアミノアルキル置換シロキサン化合物であり、高分子であってもなくてもよいが、当該アミノアルキル置換基は、ポリマー又はコポリマー種の鎖末端、繰返し単位上、又は鎖末端と繰返し単位上の双方を置換しており、例えば、アミノアルキル末端置換線状シロキサン、アミノアルキル末端置換枝分れシロキサン、連鎖上にアミノアルキル置換を有する線状シロキサン、連鎖上にアミノアルキル置換を有する枝分れシロキサン、アミノアルキル線状グラフトコポリマー、アミノアルキル枝分れグラフトコポリマー、アミノアルキル線状グラフトターポリマー、又はアミノアルキル枝分れグラフトターポリマーなどがある。
【００３３】
好ましい実施形態では、Ｒ21、Ｒ22、Ｒ23及びＲ10は各々（Ｃ1〜Ｃ8）アルキルであり、Ｒ11は（ＣＨ2）nＮＨ（ＣＨ2）mＮＨ2であり、ｗ及びｚは０である。別の好ましい実施形態では、Ｒ21、Ｒ22、Ｒ23、Ｒ10及びＲ12は各々（Ｃ1〜Ｃ8）アルキルであり、Ｒ11は（ＣＨ2）nＮＨ（ＣＨ2）mＮＨ2であり、Ｒ13はポリエーテルであり、ｗは０である。別の好ましい実施形態では、Ｒ21、Ｒ22、Ｒ23、Ｒ10及びＲ15は各々（Ｃ1〜Ｃ8）アルキルであり、Ｒ11は（ＣＨ2）nＮＨ（ＣＨ2）mＮＨ2であり、ｗ＞０である。さらに別の好ましい実施形態では、Ｒ21、Ｒ22、Ｒ10及びＲ14は（Ｃ1〜Ｃ8）アルキルであり、Ｒ23は（ＣＨ2）ＮＨ2であり、ｗ、ｙ及びｚは０であり、ｘは２〜１００、好ましくは２〜１０であり、好ましくはｘは２又は１０である。
【００３４】
好ましい実施形態では、本発明のドライクリーニング組成物は、少量、好ましくは組成物１００ｐｂｗ当たり５０ｐｂｗ未満、さらに好ましくは組成物１００ｐｂｗ当たり１０ｐｂｗ未満の１種類以上の非シロキサン流体をさらに含む。適当な非シロキサン流体には、例えば水のような水性流体、並びに有機流体、例えば炭化水素流体及びハロゲン化炭化水素流体がある。
【００３５】
好ましい実施形態では、本発明のドライクリーニング組成物は、少量、好ましくは組成物１００ｐｂｗ当たり１０ｐｂｗ未満、さらに好ましくは８ｐｂｗ未満、さらに一段と好ましくは５ｐｂｗ未満の１種類以上の界面活性剤をさらに含む。適当な界面活性剤には、陰イオン性、非イオン性、陽イオン性及び両性界面活性剤のような有機界面活性剤、並びにシリコーン界面活性剤がある。
【００３６】
例えば繊維製品又は皮革品のような物品、典型的には衣料品を本発明の組成物と接触させることによって該物品をドライクリーニングする。好ましい実施形態では、クリーニングする物品には、例えば綿、羊毛、亜麻及び麻のような天然繊維、例えばポリエステル繊維、ポリアミド繊維、ポリプロピレン繊維及びエラストマー繊維のような合成繊維、天然繊維と合成繊維のブレンド、天然若しくは合成皮革又は天然若しくは合成毛皮から作られた繊維製品がある。
【００３７】
物品とドライクリーニング組成物を、次に、例えば１回以上の排液及び遠心によって分離する。好ましい実施形態では、物品とドライクリーニング組成物の分離に続いて、物品の加熱、好ましくは温度１５〜１２０℃、さらに好ましくは２０℃〜１００℃での加熱、減圧、好ましくは圧力１〜７５０ｍｍＨｇの減圧、又は加熱と減圧を行う。
【００３８】
水溶性汚れの除去試験は、Ｉｎｔｅｒｎａｔｉｏｎａｌ  Ｆａｂｒｉｃａｒｅ  Ｉｎｓｔｉｔｕｔｅ（「ＩＦＩ」）（米国メリーランド州シルバー・スプリング）から供給された水溶性染料を含有する布地見本を用いて実施した。この材料見本の色の変化は、ハンター色数の差分計算を用いてミノルタＣＲ−３００（登録商標）色差計で測定した。ハンター色数の変化（ΔＥ）が大きいほど染料の除去は多く、クリーニング効率が高い。
【実施例】
【００３９】
以下の実施例は本発明を例示するためのもので、特許請求の範囲を限定するものではない。
【００４０】
試験手順：水溶性染料を含有する円形見本（ＩＦＩ製）を色差計で測定し、（ハンター色数で定義される）Ｌ、ａ及びｂの初期色値を記録した。次に、本発明のクリーニング組成物を入れたバイアルに布地見本を入れ、バイアルを周囲温度で１０分間振盪した。布地見本を取り出し、２〜５秒間滴を垂らして乾燥させた後、吸着タオルの上に載せ、１６〜２４時間自然乾燥した。各布地見本の二度目の値を読み取り、次式を用いて色差（ΔＥ）を求めた。
【００４１】
ΔＥ＝［（Ｌ1−Ｌ2）2＋（ａ1−ａ2）2＝（ｂ1−ｂ2）2］1/2
この色差はクリーニングの相対量を表しており、ΔＥが高いほどクリーニング性能に優れることを示す。
【００４２】
実施例１−アミノ官能性シロキサン
環式シロキサン（Ｄ5）と１種類以上のアミノ官能性シロキサンを含有する本発明のクリーニング組成物を製造した。前記手順を用いて布地見本を洗濯し、色差を測定してクリーニング組成物の有効性を求めた。界面活性剤を含まない環式シロキサン（Ｄ5）の溶液を対照として用いた。
【００４３】
【表１】
2004525198.tif 000003
【００４４】
【表２】
2004525198.tif 000004
【００４５】
表１は、ある種のアミノ官能性シロキサンがベースの環式シロキサン（Ｄ5）溶剤のク洗浄力及び染料除去力を高めることを示している。
【００４６】
【表３】
2004525198.tif 000005
【００４７】
表２は、水の存在によってアミノシリコーンの洗浄作用が向上することを示している。
【００４８】
【表４】
2004525198.tif 000006
【００４９】
表３は、第四化アミノ官能性シロキサンも、シリコーン溶剤のみ又は溶剤と水若しくは酸若しくは両者の場合と比較して、シリコーン溶剤の洗浄力を高めることを示している。
【００５０】
【表５】
2004525198.tif 000007
【００５１】
エマルジョンに用いた界面活性剤は当技術分野で公知であり、例えばＴｒｉｔｏｎ、Ｔｅｒｇｉｔｏｌ、Ｖａｒｉｓｏｆｔなどの商品名で市販されている。
【００５２】
表４は、有機界面活性剤と共にアミノ官能性シロキサン及びアミノ官能性シランを含むエマルジョンも、水溶性汚れの洗浄に有効であることを示している。
【００５３】
本発明は、アミノ官能性シリコーン及び任意成分としての水、酸又は有機界面活性剤の添加によって、汚れの除去、特に水溶性汚れを除去するためのドライクリーニング剤として改善された性能を呈する。
【国際公開パンフレット】
2004525198.tif 000009
2004525198.tif 000010
2004525198.tif 000011
2004525198.tif 000012
2004525198.tif 000013
2004525198.tif 000014
2004525198.tif 000015
2004525198.tif 000016
2004525198.tif 000017
2004525198.tif 000018
2004525198.tif 000019
2004525198.tif 000020
2004525198.tif 000021
2004525198.tif 000022
2004525198.tif 000023
2004525198.tif 000024
2004525198.tif 000025
2004525198.tif 000026
2004525198.tif 000027
2004525198.tif 000028
2004525198.tif 000029
2004525198.tif 000030
【国際調査報告】
2004525198.tif 000031
2004525198.tif 000032